(57)【要約】【課題】安定してモータを冷却可能な電気掃除機を得る。【解決手段】この電気掃除機１０は、ハウジング１１と、ハウジング内に設置されるモータ３１と、モータ３１を収納するモータケース３３と、モータケース３３内でモータ軸３２の軸方向の一端側に設置され、モータケース３３内にモータ３１を冷却する冷却風を取り込む冷却ファン３７と、モータ軸３２の軸方向の他端側に設置され、ハウジング１１内に外気を吸引する吸引ファン３９と、モータ３１と吸引ファン３９との間に設置され、吸引ファン３９によって吸引された外気を整流するディフューザ４０と、を備えている。そして、モータケース３３は、モータ軸３２の軸方向の両端部に冷却風を導入するための導入孔３４（３４ａ，３４ｂ）を有し、ディフューザ４０は、モータケース３３における吸引ファン３９設置側の導入孔３４ａと対向する位置に開口部４５を有する。【選択図】図５
2016198337.tif 000002
【特許請求の範囲】
【請求項１】
電気掃除機の外郭形状を構成するハウジングと、
前記ハウジング内に設置される駆動源としてのモータと、
前記モータを収納するモータケースと、
前記モータケース内で前記モータが有するモータ軸の軸方向の一端側に設置され、前記モータの回転駆動力により回転して前記モータケース内に前記モータを冷却する冷却風を取り込む冷却ファンと、
前記モータ軸の軸方向の他端側に設置され、前記モータの回転駆動力により回転して前記ハウジング内に外気を吸引する吸引ファンと、
前記モータと前記吸引ファンとの間に設置され、前記吸引ファンによって吸引された外気を整流するディフューザと、
を備える電気掃除機であって、
前記モータケースは、前記モータ軸の軸方向の両端部に冷却風を導入するための導入孔を有し、さらに、
前記ディフューザは、前記モータケースにおける前記吸引ファン設置側の前記導入孔と対向する位置に開口部を有することを特徴とする電気掃除機。
【請求項２】
請求項１に記載の電気掃除機において、
前記開口部は、前記ディフューザを貫通する貫通孔であることを特徴とする電気掃除機。
【請求項３】
請求項１に記載の電気掃除機において、
前記開口部は、前記ディフューザ表面に形成される溝形状部であることを特徴とする電気掃除機。
【発明の詳細な説明】
【技術分野】
【０００１】
本発明は、電気掃除機に関するものである。
【背景技術】
【０００２】
一般的な電気掃除機は、電気掃除機の外郭形状を構成するハウジングと、ハウジング内に設置される駆動源としてのモータと、モータの回転駆動力により回転してハウジング内に外気を吸引する吸引ファンと、モータと吸引ファンとの間に設置され、吸引ファンによって吸引された外気を整流するディフューザと、を備えて構成される。この種の電気掃除機の基本構成については、例えば、下記の特許文献１や特許文献２などに開示されている。下記の特許文献１および特許文献２に記載の電気掃除機は、吸引ファンによって吸引された塵芥を含む外気がフィルターを通過することによって、塵芥が集塵ケースに集められるようになっている。
【先行技術文献】
【特許文献】
【０００３】
【特許文献１】実開昭５８−１２７１９９号公報
【特許文献２】特開昭６２−１３９６２０号公報
【発明の概要】
【発明が解決しようとする課題】
【０００４】
しかしながら、上掲の特許文献１および特許文献２に記載の電気掃除機は、フィルターを通過した外気がモータ近傍を通過することによってモータが冷却されているので、例えば集塵パックが塵芥で満杯になった場合などの理由で吸込口から吸い込まれる外気の量が少なくなると、モータ近傍を通過する外気も少なくなり、モータの冷却効率が低下してモータの温度が上昇してしまうという課題があった。そのため、吸込口から吸い込まれる外気の量が少なくなった場合などであっても、安定してモータが冷却される電気掃除機の実現が望まれていた。
【０００５】
本発明は、上述した問題点に鑑みて成されたものであり、その目的は、安定してモータを冷却することができる電気掃除機を提供することにある。
【課題を解決するための手段】
【０００６】
以下、本発明について説明する。なお、本発明の理解を容易にするために添付図面の参照番号を括弧書きにて付記するが、それにより本発明が図示の形態に限定されるものではない。
【０００７】
本発明に係る電気掃除機（１０，１００）は、電気掃除機（１０，１００）の外郭形状を構成するハウジング（１１）と、前記ハウジング（１１）内に設置される駆動源としてのモータ（３１）と、前記モータ（３１）を収納するモータケース（３３）と、前記モータケース（３３）内で前記モータ（３１）が有するモータ軸（３２）の軸方向の一端側に設置され、前記モータ（３１）の回転駆動力により回転して前記モータケース（３３）内に前記モータ（３１）を冷却する冷却風を取り込む冷却ファン（３７）と、前記モータ軸（３２）の軸方向の他端側に設置され、前記モータ（３１）の回転駆動力により回転して前記ハウジング（１１）内に外気を吸引する吸引ファン（３９）と、前記モータ（３１）と前記吸引ファン（３９）との間に設置され、前記吸引ファン（３９）によって吸引された外気を整流するディフューザ（４０，１４０）と、を備えるものであって、前記モータケース（３３）は、前記モータ軸（３２）の軸方向の両端部に冷却風を導入するための導入孔（３４（３４ａ，３４ｂ））を有し、さらに、前記ディフューザ（４０，１４０）は、前記モータケース（３３）における前記吸引ファン（３９）設置側の前記導入孔（３４ａ）と対向する位置に開口部（４５，１４５）を有することを特徴とするものである。
【０００８】
また、本発明に係る電気掃除機（１０）は、前記開口部が、前記ディフューザ（４０）を貫通する貫通孔（４５）であることとすることができる。
【０００９】
さらに、本発明に係る電気掃除機（１００）は、前記開口部が、前記ディフューザ（１４０）表面に形成される溝形状部（１４５）であることとすることができる。
【発明の効果】
【００１０】
本発明によれば、安定してモータを冷却することができる電気掃除機を提供することができる。
【図面の簡単な説明】
【００１１】
【図１】本実施形態に係る電気掃除機の外観を示す側面図である。
【図２】本実施形態に係る電気掃除機の外観を示す正面図である。
【図３】本実施形態に係る電気掃除機の外観を示す背面図である。
【図４】本実施形態に係る電気掃除機の外観を示す上面図である。
【図５】図１中のＡ−Ａ断面図である。
【図６】図４中のＢ−Ｂ断面図である。
【図７】本実施形態に係るモータを示す図であり、図７中の分図（ａ）は、本実施形態に係るモータを示す背面図であり、図７中の分図（ｂ）は、本実施形態に係るモータを示す側面図であり、図７中の分図（ｃ）は、本実施形態に係るモータを示す正面図である。
【図８】本実施形態に係るディフューザを示す図であり、図８中の分図（ａ）は、本実施形態に係るディフューザを示す背面図であり、図８中の分図（ｂ）は、本実施形態に係るディフューザを示す側面図であり、図８中の分図（ｃ）は、本実施形態に係るディフューザを示す正面図である。
【図９】図８中のＣ−Ｃ断面図である。
【図１０】変形例に係る電気掃除機を説明するための横断面図である。
【図１１】変形例に係るモータの近傍を説明するための図であり、図１１中の分図（ａ）は、変形例に係るモータ近傍を示す縦断面図であり、図１１中の分図（ｂ）は、図１１中の分図（ａ）のＤ矢視部の部分拡大図である。
【図１２】変形例に係るディフューザを示す図であり、図１２中の分図（ａ）は、変形例に係るディフューザを示す背面図であり、図１２中の分図（ｂ）は、変形例に係るディフューザを示す側面図であり、図１２中の分図（ｃ）は、変形例に係るディフューザを示す正面図である。
【図１３】図１２中のＥ−Ｅ断面図である。
【発明を実施するための形態】
【００１２】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１３】
まず、本実施形態に係る電気掃除機１０の構成例について、図１ないし図９を用いて説明する。ここで、図１は、本実施形態に係る電気掃除機の外観を示す側面図であり、図２は、本実施形態に係る電気掃除機の外観を示す正面図である。また、図３は、本実施形態に係る電気掃除機の外観を示す背面図であり、図４は、本実施形態に係る電気掃除機の外観を示す上面図である。さらに、図５は、図１中のＡ−Ａ断面図であり、図６は、図４中のＢ−Ｂ断面図である。また、図７は、本実施形態に係るモータを示す図であり、図７中の分図（ａ）は、本実施形態に係るモータを示す背面図であり、図７中の分図（ｂ）は、本実施形態に係るモータを示す側面図であり、図７中の分図（ｃ）は、本実施形態に係るモータを示す正面図である。さらに、図８は、本実施形態に係るディフューザを示す図であり、図８中の分図（ａ）は、本実施形態に係るディフューザを示す背面図であり、図８中の分図（ｂ）は、本実施形態に係るディフューザを示す側面図であり、図８中の分図（ｃ）は、本実施形態に係るディフューザを示す正面図である。また、図９は、図８中のＣ−Ｃ断面図である。
【００１４】
本実施形態に係る電気掃除機１０は、電気掃除機１０の外郭形状を構成するハウジング１１と、ハウジング１１内に設置される駆動源としてのモータ３１と、モータ３１を収納するモータケース３３と、モータケース３３内でモータ３１が有するモータ軸３２の軸方向の背面側の軸端部に設置され、モータ３１の回転駆動力により回転してモータケース３３内にモータ３１を冷却する冷却風を取り込む冷却ファン３７と、モータ軸３２の軸方向の正面側の軸端部に設置され、モータ３１の回転駆動力により回転してハウジング１１内に外気を吸引する吸引ファン３９と、モータ３１と吸引ファン３９との間に設置され、吸引ファン３９によって吸引された外気を整流するディフューザ４０と、駆動電源としてのバッテリパック６１と、を備えて構成される。
【００１５】
図１ないし図６に示すように、ハウジング１１は、モータ３１等から構成される駆動機構を収納するハウジング本体１２と、塵芥を入れるための掃除機用紙パック（不図示）を収納する紙パックケース１３と、電気掃除機１０の使用者が把持するための把持部１５と、外気がハウジング１１内外を流通するための通気孔２３，２４と、を有している。
【００１６】
図４に示すように、紙パックケース１３の上面には、紙パックケース１３を開閉するための開閉ボタン１４が設置される。電気掃除機１０の使用者が、開閉ボタン１４を押圧することにより紙パックケース１３の上面が開き、不図示の掃除機用紙パックを紙パックケース１３に挿入し、当該掃除機用紙パックを取付けるための紙パック取付部２０に取り付けて、不図示の掃除機用紙パックは紙パックケース１３に着脱自在に収納されることとなる（図４および図５参照）。
【００１７】
把持部１５は、使用者から把持を受けるためのものであり、使用者からのオン／オフ操作を受けることでモータ３１の回転駆動を操作可能とするスイッチ部１７を有して構成される。使用者がスイッチ部１７のオンボタン１７ａを押圧してオン操作をすることにより、スイッチ部１７とスイッチ本体１８とが電気的に接続し、後述するバッテリパック６１に充電された駆動電力がモータ３１に供給されることとなる。また、使用者がスイッチ部１７のオフボタン１７ｂを押圧してオフ操作をすることにより、スイッチ部１７とスイッチ本体１８との接続が解除され、バッテリパック６１からモータ３１への電力供給が停止される。
【００１８】
ハウジング１１は、外気がハウジング１１内から出入りしてハウジング１１内外を流通することができるように、ハウジング１１の側面側に形成される側部通気孔２３と、ハウジング１１の背面側に形成される後部通気孔２４とを有している。これら通気孔２３，２４は、ハウジング１１内から排出される冷却風が、ハウジング１１の側方ではなくハウジング１１の後方又は斜め後方に排出されるように構成されている。このような構成により、本実施形態に係る電気掃除機１０は、ハウジング１１内から排出される冷却風が、電気掃除機１０の使用者に直接当たることを防ぐことができるようになっており、使用者は快適に作業をすることができるようになっている。
【００１９】
ハウジング本体１２には、駆動源としてのモータ３１と、モータ３１を収納するモータケース３３と、モータケース３３内でモータ３１が有するモータ軸３２の軸方向の背面側の軸端部に設置され、モータ３１の回転駆動力により回転してモータケース３３内にモータ３１を冷却する冷却風を取り込む冷却ファン３７と、モータ軸３２の軸方向の正面側の軸端部に設置され、モータ３１の回転駆動力により回転してハウジング１１内に外気を吸引する吸引ファン３９と、モータ３１と吸引ファン３９との間に設置され、吸引ファン３９によって吸引された外気を整流するディフューザ４０と、が設置される。
【００２０】
図５ないし図７に示すように、モータケース３３には、モータ３１と、モータ３１が有するモータ軸３２と、当該モータ軸３２の軸方向の背面側の軸端部に設置される冷却ファン３７と、が収納される。また、モータケース３３におけるモータ軸３２の軸方向の両端部、すなわち、モータケース３３の正面側および背面側の両端部には、冷却風を導入するための導入孔３４（３４ａ，３４ｂ）がそれぞれ形成されるとともに、モータケース３３の側面には、導入孔３４（３４ａ，３４ｂ）から導入された冷却風が排出される排出孔３５が形成されている。モータ３１の回転駆動力によりモータ軸３２が回転することで、当該モータ軸３２に設置される冷却ファン３７も回転する。冷却ファン３７が回転すると、冷却ファン３７の作用によって、モータケース３３に形成された導入孔３４（３４ａ，３４ｂ）からモータケース３３内にモータ３１を冷却する冷却風を取り込むようになっている。そして、導入孔３４（３４ａ，３４ｂ）からモータケース３３内に取り込まれた冷却風によってモータ３１は冷却される。モータ３１を冷却した冷却風は、排出孔３５からモータケース３３外に排出される。
【００２１】
また、モータ軸３２には、その軸方向の正面側の軸端部に吸引ファン３９が設置される。モータ３１の回転駆動力によりモータ軸３２が回転することで、当該モータ軸３２に設置される吸引ファン３９も回転する。吸引ファン３９が回転すると、吸引ファン３９の作用によって、後述する吸込口１９からハウジング１１内に外気を吸引するようになっている。
【００２２】
塵芥を含む外気が吸引ファン３９の作用によって吸込口１９からハウジング１１内に吸引されると、塵芥が紙パックケース１３に収納された掃除機用紙パック（不図示）に集められることとなる。塵芥が除去された外気は、不織布などから成るフィルター２１を通過した後、後述するディフューザ４０によって整流されてハウジング１１内を流通することとなる。
【００２３】
ディフューザ４０は、モータ３１と吸引ファン３９との間に設置され、吸引ファン３９によって吸引された外気を外周側に形成された複数の通孔４１を通過させることで整流する。そして、本実施形態に係るディフューザ４０には、図８および図９に示すように、モータケース３３における吸引ファン３９設置側の導入孔３４ａと対向する位置に、開口部としての貫通孔４５が形成されている。本実施形態に係る開口部としての貫通孔４５は、図８および図９に示すように、ディフューザ４０を貫通しており、図７および図８に示すように、モータケース３３に形成される導入孔３４ａと略同一形状となっている。貫通孔４５と導入孔３４ａとが略同一形状を有することにより、ディフューザ４０の正面側から貫通孔４５と導入孔３４ａを通過してモータケース３３内へと導かれる空気は、スムーズな流れが実現することとなる。
【００２４】
ディフューザ４０の正面側近傍の外気は、冷却ファン３７の作用によって、開口部としての貫通孔４５を通過し、当該開口部としての貫通孔４５と対向する位置に配置されるモータケース３３における吸引ファン３９設置側の導入孔３４ａから、モータケース３３内に導入される。そして、モータケース３３内に導入された外気は、モータ３１の周辺部、例えば固定子３１ａと回転子３１ｂとの間を通過し、モータ３１を冷却した後、モータケース３３に形成される排出孔３５から排出されるようになっている。
【００２５】
バッテリパック６１は、装着時においてモータ３１に対する駆動電力の供給を行うためのものである。ハウジング１１内には、バッテリパック６１に充電された駆動電力をモータ３１に対して供給することができるように、不図示の電線が形成される。
【００２６】
以上、本実施形態に係る電気掃除機１０の構成例について、説明した。次に、本実施形態に係る電気掃除機１０の動作例について、説明する。
【００２７】
電気掃除機１０の使用者は、不図示の掃除機用紙パックが設置されていない又は塵芥で満杯になっている場合には、まず初めに未使用の掃除機用紙パックを紙パックケース１３に設置する必要がある。上述した様に、使用者が、紙パックケース１３の上面に設置される開閉ボタン１４を押圧することにより紙パックケース１３の上面が開き、不図示の掃除機用紙パックを紙パックケース１３に挿入し、当該掃除機用紙パックを取付けるための紙パック取付部２０に取り付けることで、不図示の掃除機用紙パックは紙パックケース１３に装着される。
【００２８】
使用者が、被掃除面に吸込口１９を近付けて、スイッチ部１７のオンボタン１７ａを押圧してオン操作をすることにより、スイッチ部１７とスイッチ本体１８とが電気的に接続し、バッテリパック６１に充電された駆動電力がモータ３１に供給される。駆動電力が供給されることによってモータ３１は作動し、モータ３１の回転駆動力によってモータ軸３２が回転する。モータ軸３２が回転すると、モータ軸３２の軸方向の両端部にそれぞれ設置された冷却ファン３７と吸引ファン３９も回転する。
【００２９】
吸引ファン３９が回転することによって、被掃除面の塵芥を含む外気が吸込口１９からハウジング１１内に吸引される。そして、塵芥を含む外気が、紙パックケース１３に収納された掃除機用紙パック（不図示）を通過することで、塵芥が掃除機用紙パック（不図示）内に集められる。塵芥が除去された外気は、フィルター２１を通過した後、ディフューザ４０によって整流される。
【００３０】
塵芥が除去され、フィルター２１を通過した外気は、図５に示すように、冷却ファン３７が回転することによって、モータケース３３に形成された導入孔３４（３４ａ，３４ｂ）からモータケース３３内に取り込まれ、モータ３１を冷却するための冷却風として作用する。モータケース３３内に取り込まれた冷却風は、モータ３１を冷却した後、排出孔３５からモータケース３３外に排出される。排出孔３５から排出された冷却風は、通気孔２３，２４を通じてハウジング１１外に排出される。なお、モータケース３３の正面側に形成された導入孔３４ａからモータケース３３内に取り込まれる空気については、当然ながら、ディフューザ４０に形成された貫通孔４５を介して導入されることになるが、導入孔３４ａと貫通孔４５とは略同一形状となるように形成されており、段差なく連通しているので、導入される空気もスムーズに流通できるようになっている。
【００３１】
すなわち、本実施形態に係る電気掃除機１０では、ディフューザ４０に開口部としての貫通孔４５を形成することによって、図５中の矢印にて示すように、モータケース３３のモータ軸３２の軸方向の両端部にそれぞれ形成された導入孔３４（３４ａ，３４ｂ）からハウジング１１内の空気をモータケース３３内に導入し、当該空気がモータ軸３２の近傍を通過し、モータケース３３の側面に形成される排出孔３５を通過するように構成される通気経路が形成されている。したがって、本実施形態に係る電気掃除機１０によれば、例えば掃除機用紙パックが塵芥で満杯になった場合など吸込口１９から吸い込まれる外気の量が少なくなり、ハウジング１１内における外気の流通量が減少した場合であっても、モータ３１を冷却するための冷却風は、モータケース３３の正面側および背面側の両端側から導入されることになるので、モータ３１の冷却効率が低下することがなく、安定してモータ３１が冷却されるようになっている。
【００３２】
以上、本実施形態に係る電気掃除機１０の動作例について、説明した。次に、変形例に係る電気掃除機１００について、図１０ないし図１３を用いて、説明する。ここで、図１０は、変形例に係る電気掃除機を説明するための横断面図である。また、図１１は、変形例に係るモータの近傍を説明するための図であり、図１１中の分図（ａ）は、変形例に係るモータ近傍を示す縦断面図であり、図１１中の分図（ｂ）は、図１１中の分図（ａ）のＤ矢視部の部分拡大図である。さらに、図１２は、変形例に係るディフューザを示す図であり、図１２中の分図（ａ）は、変形例に係るディフューザを示す背面図であり、図１２中の分図（ｂ）は、変形例に係るディフューザを示す側面図であり、図１２中の分図（ｃ）は、変形例に係るディフューザを示す正面図である。またさらに、図１３は、図１２中のＤ−Ｄ断面図である。なお、上述した実施形態と同一又は類似する部材については、同一符号を付して、説明を省略する場合がある。
【００３３】
変形例に係る電気掃除機１００は、図１０に示すように、電気掃除機１００の外郭形状を構成するハウジング１１と、ハウジング１１内に設置される駆動源としてのモータ３１と、モータ３１を収納するモータケース３３と、モータケース３３内でモータ３１が有するモータ軸３２の軸方向の背面側の軸端部に設置され、モータ３１の回転駆動力により回転してモータケース３３内にモータ３１を冷却する冷却風を取り込む冷却ファン３７と、モータ軸３２の軸方向の正面側の軸端部に設置され、モータ３１の回転駆動力により回転してハウジング１１内に外気を吸引する吸引ファン３９と、モータ３１と吸引ファン３９との間に設置され、吸引ファン３９によって吸引された外気を整流するディフューザ１４０と、を備えて構成される。また、変形例に係る電気掃除機１００は、駆動電源としてのバッテリパック６１を備えている（図１および図６と同様である。）。
【００３４】
ここで、図１０および図１１に示すように、モータケース３３には、モータ３１と、モータ３１が有するモータ軸３２と、当該モータ軸３２の軸方向の背面側の軸端部に設置される冷却ファン３７と、が収納される。また、モータケース３３のモータ軸３２の軸方向の両端部には、冷却風を導入するための導入孔３４（３４ａ，３４ｂ）が形成されるとともに、モータケース３３の側面には、導入孔３４（３４ａ，３４ｂ）から導入された冷却風が排出される排出孔３５が形成されている（図７参照）。モータ３１の回転駆動力によりモータ軸３２が回転することで、当該モータ軸３２に設置される冷却ファン３７も回転する。図１０に示すように、冷却ファン３７が回転すると、モータケース３３に形成された導入孔３４（３４ａ，３４ｂ）からモータケース３３内にモータ３１を冷却するための冷却風が取り込まれるようになっている。そして、導入孔３４（３４ａ，３４ｂ）からモータケース３３内に取り込まれた冷却風によってモータ３１は冷却される。モータ３１を冷却した冷却風は、排出孔３５からモータケース３３外に排出される。
【００３５】
また、図１０および図１１に示すように、モータ軸３２には、その軸方向の正面側の軸端部に吸引ファン３９が設置されている。モータ３１の回転駆動力によりモータ軸３２が回転することで、当該モータ軸３２に設置される吸引ファン３９も回転する。吸引ファン３９が回転すると、吸込口１９からハウジング１１内に外気を吸引することができる。
【００３６】
塵芥を含む外気が吸引ファン３９の作用によって吸込口１９からハウジング１１内に吸引されると、塵芥が紙パックケース１３に収納された掃除機用紙パック（不図示）に集められることとなる。塵芥が除去された外気は、不織布などから成るフィルター２１を通過した後、ディフューザ１４０によって整流されてハウジング１１内を流通することとなる。
【００３７】
そして、図１０に示すように、変形例に係るディフューザ１４０は、モータ３１と吸引ファン３９との間に設置され、吸引ファン３９によって吸引された外気を外周側に形成された複数の通孔１４１を通過させることで整流する。このディフューザ１４０は、吸引ファン３９とモータケース３３との間に設置されることとなるが、変形例に係るディフューザ１４０は、開口部としての溝形状部１４５を有しており、図１２および図１３に示すように、モータケース３３における吸引ファン３９設置側の導入孔３４ａと対向する位置であって、この導入孔３４ａと連通するように、当該溝形状部１４５が形成されている。
【００３８】
開口部としての溝形状部１４５は、図１２および図１３に示すように、ディフューザ１４０の背面側の表面に形成される。ディフューザ１４０によって整流された外気の一部は、冷却ファン３７の作用によって、開口部としての溝形状部１４５を通過し、当該開口部としての溝形状部１４５と対向する位置に配置される導入孔３４ａを通じて、モータケース３３内に導入される。そして、モータケース３３内に導入された外気は、モータ３１の周辺部、例えば固定子３１ａと回転子３１ｂとの間を通過し、モータ３１を冷却した後、モータケース３３に形成される排出孔３５から排出されるようになっている。
【００３９】
以上、変形例に係る電気掃除機１００の構成例について、説明した。次に、変形例に係る電気掃除機１００の動作例について、説明する。
【００４０】
電気掃除機１００の使用者は、不図示の掃除機用紙パックが設置されていない又は塵芥で満杯になっている場合には、まず初めに未使用の掃除機用紙パックを紙パックケース１３に設置する必要がある。上述した様に、使用者が、紙パックケース１３の上面に設置される開閉ボタン１４を押圧することにより紙パックケース１３の上面が開き、不図示の掃除機用紙パックを紙パックケース１３に挿入し、当該掃除機用紙パックを取付けるための紙パック取付部２０に取り付けることで、不図示の掃除機用紙パックは紙パックケース１３に装着される。
【００４１】
使用者が、被掃除面に吸込口１９を近付けて、スイッチ部１７のオンボタン１７ａを押圧してオン操作をすることにより、スイッチ部１７とスイッチ本体１８とが電気的に接続し、バッテリパック６１に充電された駆動電力がモータ３１に供給される。駆動電力が供給されることによってモータ３１は作動し、モータ３１の回転駆動力によってモータ軸３２が回転する。モータ軸３２が回転すると、モータ軸３２の軸方向の両端部にそれぞれ設置された冷却ファン３７と吸引ファン３９も回転する。
【００４２】
吸引ファン３９が回転することによって、被掃除面の塵芥を含む外気が吸込口１９からハウジング１１内に吸引される。そして、塵芥を含む外気が、紙パックケース１３に収納された掃除機用紙パック（不図示）を通過することで、塵芥が掃除機用紙パック（不図示）内に集められる。塵芥が除去された外気は、フィルター２１を通過した後、ディフューザ１４０によって整流される。
【００４３】
塵芥が除去され、フィルター２１およびディフューザ１４０を通過した外気は、図１０に示すように、冷却ファン３７が回転することによって、モータケース３３に形成された導入孔３４（３４ａ，３４ｂ）からモータケース３３内に取り込まれ、モータ３１を冷却するための冷却風として作用する。モータケース３３内に取り込まれた冷却風は、モータ３１を冷却した後、排出孔３５からモータケース３３外に排出される。排出孔３５から排出された冷却風は、通気孔２３，２４を通じてハウジング１１外に排出される。なお、モータケース３３の正面側に形成された導入孔３４ａからモータケース３３内に取り込まれる空気については、当然ながら、ディフューザ１４０に形成された溝形状部１４５を介して導入されることになる。
【００４４】
すなわち、本実施形態に係る電気掃除機１００では、ディフューザ１４０に開口部としての溝形状部１４５を形成することによって、図１０中の矢印にて示すように、モータケース３３のモータ軸３２の軸方向の両端部にそれぞれ形成された導入孔３４（３４ａ，３４ｂ）からハウジング１１内の空気をモータケース３３内に導入し、当該空気がモータ軸３２の近傍を通過し、モータケース３３の側面に形成される排出孔３５を通過するように構成される通気経路が形成されている。したがって、変形例に係る電気掃除機１００によれば、例えば掃除機用紙パックが塵芥で満杯になった場合など吸込口１９から吸い込まれる外気の量が少なくなり、ハウジング１１内における外気の流通量が減少した場合であっても、モータ３１を冷却するための冷却風は、モータケース３３の正面側および背面側の両端側から導入されることになるので、モータ３１の冷却効率が低下することなく、安定してモータ３１が冷却されるようになっている。
【００４５】
また、本実施形態に係る電気掃除機１００では、ディフューザ１４０を通過した下流側の外気を、溝形状部１４５を介してモータケース３３に形成された導入孔３４ａから取り入れるので、運転状況による圧力変動が冷却性能へ影響を及ぼすことを抑制できる。すなわち、掃除機用紙パックへの塵芥の集積量や吸込口１９への異物の引っ掛かり等によって吸込流量が変化すると吸引ファン３９近傍の圧力も変化することになるため、吸引ファン３９近傍の外気を冷却用としてモータケース３３に取り込む構成の場合、取り込まれる外気の量が変化してしまい、冷却性能を安定して発揮することが困難となる虞がある。一方、本実施形態に係る電気掃除機１００では、圧力変動が比較的小さいディフューザ１４０を通過した下流側の外気のみを取り入れる構成となっているので、取り込まれる外気の量の変化を抑制することができる。したがって、より安定した冷却性能の発揮が可能となる。
【００４６】
以上、本発明の好適な実施形態について説明したが、本発明の技術的範囲は上記実施形態に記載の範囲には限定されない。上記実施形態には、多様な変更又は改良を加えることが可能である。その様な変更又は改良を加えた形態も本発明の技術的範囲に含まれ得ることが、特許請求の範囲の記載から明らかである。
【符号の説明】
【００４７】
１０，１００  電気掃除機、１１  ハウジング、１２  ハウジング本体、１３  紙パックケース、１４  開閉ボタン、１５  把持部、１７  スイッチ部、１７ａ  オンボタン、１７ｂ  オフボタン、１８  スイッチ本体、１９  吸込口、２０  紙パック取付部、２１  フィルター、２３，２４  通気孔、３１  モータ、３１ａ  固定子、３１ｂ  回転子、３２  モータ軸、３３  モータケース、３４，３４ａ，３４ｂ  導入孔、３５  排出孔、３７  冷却ファン、３９  吸引ファン、４０，１４０  ディフューザ、４１，１４１  通孔、４５  貫通孔、６１  バッテリパック、１４５  溝形状部。
【図１】
2016198337.tif 000003
【図２】
2016198337.tif 000004
【図３】
2016198337.tif 000005
【図４】
2016198337.tif 000006
【図５】
2016198337.tif 000007
【図６】
2016198337.tif 000008
【図７】
2016198337.tif 000009
【図８】
2016198337.tif 000010
【図９】
2016198337.tif 000011
【図１０】
2016198337.tif 000012
【図１１】
2016198337.tif 000013
【図１２】
2016198337.tif 000014
【図１３】
2016198337.tif 000015